(57)【要約】【課題】聴力検査に係る検者の負担を軽減することができるオージオグラムを提供する。【解決手段】聴力検査に係る検査音を出力するオージオメータ１００であって、検査音の出力レベルを示す軸であり、複数の出力レベル毎に分割された第１軸と、第１軸と直交する検査音の周波数を示す軸であり、複数の周波数毎に分割された第２軸とを有するグラフであるオージオグラム２３１を表示し、オージオグラム２３１に対するタッチ操作を受け付けるタッチパネル２００と、タッチパネル２００に対する所定のタッチ操作である第１タッチ操作がなされた座標である第１タッチ操作座標を取得する操作取得部９０１と、検査音を、複数の出力レベルと複数の周波数との交点から、操作取得部９０１により取得された第１タッチ操作座標と最も近い交点により示される出力レベル及び周波数に設定する設定部９０２とを備えた。【選択図】図６
2014117545.tif 000002
【特許請求の範囲】
【請求項１】
聴力検査に係る検査音を出力するオージオメータであって、
前記検査音の出力レベルを示す軸であり、複数の出力レベル毎に分割された第１軸と、該第１軸と直交する前記検査音の周波数を示す軸であり、複数の周波数毎に分割された第２軸とを有するグラフであるオージオグラムを表示し、該オージオグラムに対するタッチ操作を受け付けるタッチパネルと、
前記タッチパネルに対する所定のタッチ操作である第１タッチ操作がなされた座標である第１タッチ操作座標を取得する操作取得部と、
前記検査音を、前記複数の出力レベルと前記複数の周波数との交点から、前記操作取得部により取得された第１タッチ操作座標と最も近い交点により示される出力レベル及び周波数に設定する設定部と
を備えるオージオメータ。
【請求項２】
請求項１に記載のオージオメータにおいて、
前記設定部は、前記操作取得部により取得された第1タッチ操作座標が予め設定された出力レベル及び周波数との交点から前記第１軸方向に所定の距離内である場合、前記検査音を、前記複数の出力レベルと前記複数の周波数との交点から、前記操作取得部により取得された第１タッチ操作座標と最も近い交点により示される出力レベル及び周波数に設定することを特徴とするオージオメータ。
【請求項３】
請求項１または請求項２に記載のオージオメータにおいて、
前記操作取得部は、前記第１タッチ操作とは異なるタッチ操作である第２タッチ操作がなされた座標である第２タッチ操作座標を取得し、
前記設定部は、前記複数の出力レベルと前記複数の周波数との交点から、前記操作取得部により取得された第２タッチ操作座標と最も近い最短交点により示される周波数に対し、前記最短交点により示される出力レベルを、前記聴力検査における域値として設定することを特徴とするオージオメータ。
【請求項４】
請求項１乃至請求項３のいずれかに記載のオージオメータにおいて、
前記第１タッチ操作は、タップであることを特徴とするオージオメータ。
【請求項５】
請求項３乃至請求項４のいずれかに記載のオージオメータにおいて、
前記第２タッチ操作は、ダブルタップであることを特徴とするオージオメータ。
【発明の詳細な説明】
【技術分野】
【０００１】
本発明は、聴力検査に用いられるオージオメータに関するものである。
【背景技術】
【０００２】
一般的な聴力検査方法として、標準純音聴力検査が知られている。この標準純音聴力検査は、検査音の周波数と出力レベルを設定し、検査音に対する被検者の応答を監視しながら検査音の出力レベルを調整し、被検者の応答が確認できた時点の検査音の出力レベルを設定した周波数の域値として記録することにより、被検者の聴力を検査する。
【０００３】
また、このような聴力検査を行うための機器として、オージオメータが知られている。このオージオメータは、検査音を出力する機器であり、少なくとも操作パネルとディスプレイとを備える。操作パネルは、検査条件としての検査音の周波数、出力レベル、検査音を出力する受話器の種類、検査をする対象である検耳（右耳または左耳）などの設定、被検者の応答に基づく域値の設定を変更するスイッチを備える。また、ディスプレイは、操作パネルにより変更される設定、被検者による検査音に対する応答の状態を表示する。オージオメータを用いる聴力検査の検者は、操作パネルによって聴力検査の検査条件の変更、被検者の応答に基づく域値の設定を行い、ディスプレイによって検査条件、域値の確認、応答の状態を確認する。
【０００４】
また、効率よく数値を入力する機能を付加したオージオメータが知られている（例えば、特許文献１）。このオージオメータは、聴力検査において、被検者のＩＤや日付情報などの数値を入力する必要がある場合、操作パネルから数値を入力することができるようにしたものである。
【先行技術文献】
【特許文献】
【０００５】
【特許文献１】特開平７−１４３９７６号公報
【発明の概要】
【発明が解決しようとする課題】
【０００６】
しかしながら、従来のオージオメータによる聴力検査において、検者は、ディスプレイにより検査音に対する被検者の応答を監視し、検査条件を変えるために操作パネルにより設定を変更し、設定後にディスプレイにより意図した設定になっているかどうかを確認する必要があった。つまり、検査中、検者の視線はディスプレイと操作パネルとを交互に移動する。また、操作パネルにおいては、検査音の周波数と出力レベルとに対する操作がそれぞれ独立しているため、これらの操作をそれぞれ行う必要があり、操作が煩雑であった。これらのことから、従来のオージオメータには、聴力検査に係る操作、特に検査条件の変更において検者に大きな負担がかかるという問題がある。
【０００７】
本発明は上述した問題点を解決するためになされたものであり、聴力検査に係る検者の負担を軽減することができるオージオメータを提供することを目的とする。
【課題を解決するための手段】
【０００８】
上述した課題を解決するため、本発明の一態様は、聴力検査に係る検査音を出力するオージオメータであって、検査音の出力レベルを示す軸であり、複数の出力レベル毎に分割された第１軸と、第１軸と直交する検査音の周波数を示す軸であり、複数の周波数毎に分割された第２軸とを有するグラフであるオージオグラムを表示し、オージオグラムに対するタッチ操作を受け付けるタッチパネルと、タッチパネルに対する所定のタッチ操作である第１タッチ操作がなされた座標である第１タッチ操作座標を取得する操作取得部と、検査音を、複数の出力レベルと複数の周波数との交点から、取得部により取得された第１タッチ操作座標と最も近い交点により示される出力レベル及び周波数に設定する設定部とを備える。
【発明の効果】
【０００９】
本発明によれば、聴力検査に係る検者の負担を軽減することができる。
【図面の簡単な説明】
【００１０】
【図１】本発明の実施の形態に係る全体構成を示す図である。
【図２】オージオメータの操作パネルの構成を示す図である。
【図３】タッチパネルに表示されるＧＵＩを示す図である。
【図４】オージオグラムを示す図である。
【図５】検査音設定の概要を示す図である。
【図６】オージオメータの機能構成を示すブロック図である。
【図７】純音設定処理の動作を示すフローチャートである。
【図８】タッチパネル設定処理の動作を示すフローチャートである。
【発明を実施するための形態】
【００１１】
以下、本発明の実施の形態について図面を参照しつつ説明する。まず、本発明の実施の形態の全体構成について説明する。図１は、本発明の実施の形態に係る全体構成を示す図である。
【００１２】
図１に示すように、本実施の形態に係る聴力検査システムは、オージオメータ１００、応答用押ボタンスイッチ４００、気導受話器５００、骨導受話器６００、マスキング用受話器７００、電源コード８００、医用安全パルストランス９００を備える。オージオメータ１００は、聴力検査において検者が用いる機器であり、検者の操作に基づいて、特定の周波数、特定の出力レベルを持つ純音を気導受話器５００または骨導受話器６００を用いて出力し、マスキングノイズを気導受話器５００またはマスキング用受話器７００を用いて出力する。気導受話器５００は、気導聴力検査時に被検者が気導により純音を聞き取るための受話器であり、両耳用に２つの受話器（５００Ａ及び５００Ｂ）を備える。また、骨導受話器６００は、骨導聴力検査時に被検者が骨導により純音を聞き取るための受話器であり、片耳用に１つの受話器を備える。また、マスキング用受話器７００は、骨導聴力検査時に検耳ではない耳にマスキングノイズを聞かせるための受話器であり、片耳用に１つの受話器を備える。
【００１３】
オージオメータ１００は、図示しないＣＰＵ（Ｃｅｎｔｒａｌ  Ｐｒｏｃｅｓｓｉｎｇ  Ｕｎｉｔ）とメモリとを備え、純音またはマスキングノイズを出力するためのメインチャンネル及びサブチャンネルを持ち、気導聴力検査の際には、気導受話器５００の受話器５００Ａ及び５００Ｂに対してメインチャンネル及びサブチャンネルから純音またはマスキングノイズを出力する。また、オージオメータ１００は、骨導聴力検査の際には、骨導受話器６００に対してメインチャンネルまたはサブチャンネルから純音を出力し、マスキング用受話器７００に対して骨導受話器６００に対する純音の出力に用いられていないチャンネルからマスキングノイズを出力する。応答用押ボタンスイッチ４００は、純音に対する被検者の応答を示すためのスイッチであり、メインチャンネル用スイッチ４００Ａ、サブチャンネル用スイッチ４００Ｂの２つのスイッチを備える。被検者は、気導受話器５００または骨導受話器６００から純音が聞こえる場合に応答用押ボタンスイッチ４００を指で押し、聞こえない場合はボタンから指を離す。
【００１４】
次に、オージオメータの操作パネルについて説明する。図２は、オージオメータの操作パネルの構成を示す図である。なお、以降の説明において、操作パネルに配置される各入力装置のうち、本実施の形態に関連するものについて詳述する。
【００１５】
オージオメータ１００の操作パネル３００は、図２に示すように、電源ボタン３１０、操作パネル上部３２０、操作パネル中央部３３０、操作パネル下部３４０を備える。電源ボタン３１０は、オージオメータ１００を起動するためのスイッチである。操作パネル上部３２０には、出力ボリュームに関するノブなどが配置されている。操作パネル中央部３３０は、受話器の切り替え、検耳の切り替えなどの検査項目の切り替えに関するボタンなどが配置されている。
【００１６】
また、操作パネル下部３４０には、メインチャンネル聴力レベルダイヤル３４１Ａ、サブチャンネル聴力レベルダイヤル３４１Ｂ、メインインタラプタ３４２Ａ及び３４２Ｂ、スケールアウトボタン３４３Ａ及び３４３Ｂ、域値ボタン３４４Ａ及び３４４Ｂ、次周波数ボタン３４５、サブインタラプタ３４６が配置されている。メインチャンネル聴力レベルダイヤル３４１Ａは、メインチャンネルからの検査音の出力レベルを連続的に変更するものである。サブチャンネル聴力レベルダイヤル３４１Ｂは、サブチャンネルからの検査音の出力レベルを連続的に変更するものである。なお、これらメインチャンネル聴力レベルダイヤル３４１Ａ及びサブチャンネル聴力レベルダイヤル３４１Ｂは、出力レベルの値の増減がダイヤルの位置に関係ない相対コントローラであり、操作量分だけ値を増減させるものである。メインインタラプタ３４２Ａ及び３４２Ｂは、メインチャンネルから出力される検査音をＯＮ／ＯＦＦするものである。スケールアウトボタン３４３Ａ及び３４３Ｂは、標準純音聴力検査で測定結果がスケールアウトの場合に押されるものである。域値ボタン３４４Ａ及び３４４Ｂは、標準純音聴力検査で測定結果を入力する場合に押されるものである。次周波数ボタン３４５は、標準純音聴力検査において、押す毎に検査周波数を切り替えるものである。サブインタラプタ３４６は、サブチャンネルの検査音をＯＮ／ＯＦＦするものである。
【００１７】
次に、オージオメータのタッチパネルについて説明する。図３は、タッチパネルに表示されるＧＵＩを示す図である。また、図４は、オージオグラムを示す図である。また、図５は、検査音設定の概要を示す図である。
【００１８】
オージオメータ１００のタッチパネル２００は、静電容量方式のタッチパネルであり、パネル表面に微弱の電界を持たせ、タッチした部分の静電気による電界変化により位置検出を行う。また、タッチパネル２００は、マルチタッチを検出し、操作として、タップ、ダブルタップ、フリック、ピンチ、スプレッド、２本指タップ、２本指スクロールなどの動作を検出できるものとする。なお、タッチパネル２００は、例えば、赤外線センサ方式や光学センサ方式など、他の方式を採用するものであっても構わない。
【００１９】
オージオメータ１００は、タッチパネル２００により検者にＧＵＩ（Ｇｒａｐｈｉｃａｌ  Ｕｓｅｒ  Ｉｎｔｅｒｆａｃｅ）を提供する。このＧＵＩは、図３に示すように、検査項目領域２１０、被検者情報領域２２０、メイン領域２３０、検査音領域２４０、ファンクションメニュー領域２５０により構成される。
【００２０】
ここで、ＧＵＩにおける各領域について説明する前に、純音聴力検査における気導純音聴力レベル測定の手順について説明する。気導純音聴力レベル測定において、検者は、被検者に対し、１回の検査音を同一の出力レベルで１〜２秒間提示する。また、検査周波数の順序は原則として１０００Ｈｚから始め、２０００Ｈｚ，４０００Ｈｚ，８０００Ｈｚと順次高い周波数に進み、再び１０００Ｈｚを測定し、５００Ｈｚ、２５０Ｈｚ，１２５Ｈｚと順次低い周波数に進む。７５０Ｈｚ，１５００Ｈｚ，３０００Ｈｚ，６０００Ｈｚなどの周波数については必要に応じて適宜検査する。
【００２１】
まず、被検者を検査に慣れさせるとともに、検査の手順に対する理解を確認するために、本測定に先立って予備測定が行われる。この予備測定において、まず、１０００Ｈｚにおいて応答が得られる最小の出力レベルを求める。次に、検者は、本測定として、予備測定で得られた１０００Ｈｚの出力レベルから１０〜２０ｄＢ下げ、５ｄＢステップで段階的に出力レベルを上げることにより、被検者からの応答が初めて確実に得られる１０００Ｈｚの出力レベルを求める。次に、出力レベルを５〜１０ｄＢ上げて検者に明確に検査音を聞かせたのち、求めた出力レベルから１０〜２０ｄＢ下げ、再度同様の手順により被検者から確実な応答が得られる最小の出力レベルを求める。３回の試行により応答として同一の出力レベルを２回得られた場合、その出力レベルの値を１０００Ｈｚに対する聴力レベルとする。一方、応答としての出力レベルに互いに１５ｄＢ以上の差異がある場合、検査結果の信頼性が疑わしいとみなし、被検者に対して検査の手順について再度説明をしたのち再び予備測定から始める。また、１０００Ｈｚに対する聴力レベルが得られたのち、検査音の周波数を変更して１０００Ｈｚに対する検査と同様の手順により測定を繰り返す。
【００２２】
上述のように、対象とする周波数すべてについて測定したのち、再度、同様の手順により、対象とする周波数すべてについて２回目の測定を行う。この２回目の測定において、１回目の測定において得られた聴力レベルの１５ｄＢ下に出力レベルを設定する。また、１回目の測定と比較して１０ｄＢ以上の差がみられた場合は、１回目の測定との差が５ｄＢ以下となるまで検査を繰り返す。また、２回検査を行った周波数については、測定された２つの聴力レベルのうち、値が小さい方を検査結果とする。片側の耳の検査の終了後、同様の手順で反対側の耳の検査を行う。
【００２３】
なお、被検者の両耳について、その応答が両耳間移行減衰量に近い聴力レベルの差で起こる場合、聴力が悪い方の耳にマスキングを行う必要がある。このマスキングは非検耳にマスキングノイズを負荷することによりなされ、マスキングノイズに関しても所定の手順により適切な出力レベルを決定する必要がある。以上のように、純音聴力検査の手順においては検査音の周波数及び出力レベル、マスキングノイズの出力レベルなどを何度も設定しなければならない。本実施の形態に係るオージオメータは、これらの設定をＧＵＩへのタッチ操作により可能とするものである。以下、ＧＵＩにおける各領域について説明する。
【００２４】
検査項目領域２１０は、気導、骨導などの検査対象を示す検査項目やどのような条件で検査を行うかを示す検査条件などが表示される領域である。被検者情報領域２２０は、被検者のＩＤ、氏名、検査年月日などが表示される領域である。メイン領域２３０は、後述するオージオグラム２３１、マスキングノイズの出力レベルを示すマスキングノイズテーブル２３２、メインインタラプタ３４２Ａ及び３４２Ｂに対応するタッチ領域であるメインインタラプタ２３３、サブインタラプタ３４６に対応するタッチ領域であるサブインタラプタ２３４などが表示される領域である。検査音領域２４０は、メインチャンネル及びサブチャンネルからの出力音のパラメータなどが表示される領域である。例えば、この領域には、右耳に対する気導聴力検査において、メインチャンネルから１０００Ｈｚの純音が出力されることが表示される。ファンクションメニュー領域２５０は、様々な機能が割り当てられたファンクションキーが複数配置される領域である。このファンクションキーとして、検査条件を設定する条件設定画面を呼び出す条件設定キー、オージオグラム２３１の拡大と標準サイズへの変更を行う標準／拡大キー、気導と骨導を切り替える気導／骨導キー、対象とする耳を切り替える検耳キーなどがある。これらのキーをタッチすることにより、それぞれ割り当てられた機能や画面を呼び出すことができる。
【００２５】
オージオグラム２３１は、図４に示すように、縦軸が聴力レベル（ｄＢ）を示し、横軸が周波数（Ｈｚ）を示すグラフであり、右耳、左耳を対象とする折れ線により、それぞれの耳の聴力が示される。グラフは、縦軸方向に複数の出力レベルに分割され、横軸方向に複数の周波数に分割される。なお、このグラフにおける出力レベルは、検者がおおまかな出力レベル値を目視で確認するために１０ｄＢ単位で分割されているが、出力レベルは１０ｄＢ以下の単位毎、例えば５ｄＢステップで段階的に設定することができるものとする。折れ線は、各周波数とそれぞれに対する聴力レベルの交点を示すシンボルを結んだ線である。シンボルは、右耳、左耳、気導、骨導などによって異なる形状で表現され、それぞれのシンボルは各周波数に対する域値を示す。域値は、純音聴力検査において、ある周波数に対して被検者が聞き取ることができる最小の出力レベルである。図４においては、右耳の気導を示すシンボルと、左耳の気導を示すシンボルとが示される。シンボルとして示される域値により各耳がどの周波数に対してどの程度聞こえるかが聴力として示される。また、図５に示すように、検査音の周波数及び出力レベルは、右耳用及び左耳用のカーソルによって示される。また、オージオグラム上の意図する周波数と意図する出力レベルが交差する場所をタップすることにより、このカーソルの位置を変更するとともに、検査音の周波数及び出力レベルの設定を変更する。なお、この操作は、タップに限らず、例えば、カーソルをタッチし続けながらスライドすることによりなされても良い。
【００２６】
また、オージオグラム上には、１つの画面に左右検耳それぞれに対応する気導／骨導の４つのグラフを同時に表示することもできるが、例えば、左耳の骨導のグラフのみを表示するなど、４つのグラフ毎にオージオグラムにプロットすることも可能である。この場合、例えば、左右のフリック操作に左右の検耳それぞれに対応するグラフ表示の切り替えを割り当て、上下のフリック操作に気導と骨導それぞれに対応するグラフ表示の切り替えを割り当てても良い。この操作により、例えば、オージオグラム上に左の気導のグラフ表示がなされている場合、左右のフリックと上下のフリックをそれぞれ１回ずつ行うことにより右の骨導のグラフ表示へ切り替えることができる。
【００２７】
次に、オージオメータの機能構成について説明する。図６は、オージオメータの機能構成を示すブロック図である。
【００２８】
図６に、示すように、オージオメータ１００は、機能として、操作取得部９０１、設定部９０２、音声制御部９０３、表示制御部９０４を備える。これらの機能は、図示しないＣＰＵとメモリとが協働することにより実現されるものとする。操作取得部９０１は、操作パネル３００及びタッチパネル２００に対する操作を取得する。設定部９０２は、オージオメータ１００からの音声出力に係る設定をセットする。音声制御部９０３は、設定部９０２によりセットされた設定に基づくオージオメータ１００による音声出力を制御する。表示制御部９０４は、設定部９０２によりセットされた設定、及び応答用押ボタンスイッチ４００への入力に基づいて、タッチパネル２００への表示を制御する。
【００２９】
次に、設定処理の動作について説明する。この設定処理は、純音の周波数及び出力レベル、域値を設定する処理である。図７は、純音設定処理の動作を示すフローチャートである。なお、図７において、検耳はすでに左右いずれかに設定されているものとする。
【００３０】
まず、設定部９０２は、操作取得部９０１により操作パネル３００に対する操作が検知されたかどうかを判断する（Ｓ１０）。
【００３１】
操作パネル３００に対する操作が検知されない場合（Ｓ１０，ＮＯ）、設定部９０２は、操作取得部９０１によりタッチパネル２００に対する操作が検知されたかどうかを判断する（Ｓ１１）。
【００３２】
タッチパネル２００に対する操作が検知された場合（Ｓ１１，ＹＥＳ）、タッチパネル設定処理が実行される（Ｓ１２）。このタッチパネル設定処理については後述する。
【００３３】
一方、タッチパネル２００に対する操作が検知されない場合（Ｓ１１，ＮＯ）、設定部９０２は、再度、操作取得部９０１により操作パネル３００に対する操作が検知されたかどうかを判断する（Ｓ１０）。
【００３４】
また、ステップＳ１０の判断において、操作パネルに対する操作が検知された場合（Ｓ１０，ＹＥＳ）、操作パネル設定処理が実行される（Ｓ１３）。この操作パネル設定処理は、操作パネル３００に対する操作に応じて、聴力検査に係る各種設定を変更する処理である。
【００３５】
次に、タッチパネル設定処理について説明する。図８は、タッチパネル設定処理の動作を示すフローチャートである。
【００３６】
まず、操作取得部９０１は、タッチ位置の座標を取得する（Ｓ１２１）。次に、設定部９０２は、取得された座標位置がオージオグラム２３１の表示領域内であり、且つタッチ操作がタップであるかどうかを判断する（Ｓ１２２）。
【００３７】
オージオグラム上をタップされた場合（Ｓ１２２，ＹＥＳ）、設定部９０２は、横軸方向においてタップされた座標に最も近い位置に対応する周波数に対して出力レベルが設定されているかどうかを判断する（Ｓ１２３）。
【００３８】
出力レベルが設定されている場合（Ｓ１２３，ＹＥＳ）、設定部９０２は、タップされた座標が、縦軸方向において、設定された出力レベルに対応する位置に対して所定の距離内かどうかを判断する（Ｓ１２４）。
【００３９】
所定の距離内である場合（Ｓ１２４，ＹＥＳ）、設定部９０２は、純音の周波数及び出力レベルを、タップされた座標から最も近い、周波数と出力レベルの交点に対応する周波数に設定する（Ｓ１２５）。次に、表示制御部９０４は、設定部９０２により設定された交点にカーソルが表示されるようにタッチパネル２００を制御し（Ｓ１２６）、タッチパネル設定処理を終了する。
【００４０】
一方、所定の距離内ではない場合（Ｓ１２４，ＮＯ）、設定部９０２は、タッチパネル設定処理を終了する。
【００４１】
また、ステップＳ１２３の判断において、出力レベルが設定されていない場合（Ｓ１２３，ＮＯ）、ステップＳ１２５の処理がなされる。
【００４２】
また、ステップＳ１２２の判断において、オージオグラム上をタップされない場合（Ｓ１２２，ＮＯ）、設定部９０２は、取得された座標位置がオージオグラム２３１の表示領域内であり、且つタッチ操作がダブルタップであるかどうかを判断する（Ｓ１２７）。
【００４３】
オージオグラム上をダブルタップされた場合（Ｓ１２７，ＹＥＳ）、設定部９０２は、域値を、ダブルタップされた座標から最も近い、周波数と出力レベルの交点に対応する周波数に設定する（Ｓ１２８）。次に、表示制御部９０４は、設定部９０２により域値として設定された交点にシンボルが表示されるようにタッチパネル２００を制御し（Ｓ１２６）、タッチパネル設定処理を終了する。
【００４４】
一方、オージオグラム上をダブルタップされない場合（Ｓ１２７，ＮＯ）、設定部９０２は、タッチパネル設定処理を終了する。
【００４５】
以上の説明においては、タップとダブルタップに対する動作を説明したが、ピンチ、スプレッド、２本指タップ、２本指スクロールなどの他の操作に対して所定の動作を割り当てても良い。例えば、スプレッドにオージオグラム２３１の拡大表示処理を、ピンチに拡大表示されたオージオグラム２３１をデフォルトの大きさに戻す処理を割り当てても良い。
【００４６】
上述したように、タッチパネル設定処理によれば、タッチパネル２００をタップすることにより、任意の周波数及び出力レベルに純音を設定することができる。また、タッチパネル２００をダブルタップすることにより、任意の周波数及び出力レベルに域値を設定することができる。このことによれば、操作パネル３００を用いる場合に比べて、聴力検査における視線の移動を減らすことができ、検者の負担を軽減することができる。
【００４７】
また、純音の設定対象とする周波数に対してすでに出力レベルが設定されている場合、タップされた座標位置が設定された出力レベルに対応するオージオグラム２３１の位置から所定の距離内である場合のみに出力レベルを設定することにより、純音の出力レベルが極端に上がることを防ぐことができ、被検者の安全を確保することができる。
【００４８】
また、メインチャンネル聴力レベルダイヤル３４１Ａ及びサブチャンネル聴力レベルダイヤル３４１Ｂを相対コントローラとすることにより、出力レベルの値がダイヤルの位置と対応する場合に比べて、出力レベル及び域値に対する操作パネル３００の操作とタッチパネル２００の操作に整合性を持たせることができる。
【００４９】
本発明は、その要旨または主要な特徴から逸脱することなく、他の様々な形で実施することができる。そのため、前述の実施の形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替及び改質は、全て本発明の範囲内のものである。
【符号の説明】
【００５０】
１００  オージオメータ、２００  タッチパネル、３００  操作パネル、３１０  電源ボタン、３２０  操作パネル上部、３３０  操作パネル中央部、３４０  操作パネル下部、３４１Ａ  メインチャンネル聴力レベルダイヤル、３４１Ｂ  サブチャンネル聴力レベルダイヤル、３４２Ａ  メインインタラプタ、３４２Ｂ  メインインタラプタ、３４３Ａ  スケールアウトボタン、３４３Ｂ  スケールアウトボタン、３４４Ａ  域値ボタン、３４４Ｂ  域値ボタン、３４５  次周波数ボタン、３４６  サブインタラプタ、４００  応答用押ボタンスイッチ、５００  気導受話器、５００Ａ  受話器、５００Ｂ  受話器、６００  骨導受話器、７００  マスキング用受話器、８００  電源コード、９００  医用安全パルストランス、９０１  操作取得部、９０２  設定部、９０３  音声制御部、９０４  表示制御部。
【図１】
2014117545.tif 000003
【図２】
2014117545.tif 000004
【図３】
2014117545.tif 000005
【図４】
2014117545.tif 000006
【図５】
2014117545.tif 000007
【図６】
2014117545.tif 000008
【図７】
2014117545.tif 000009
【図８】
2014117545.tif 000010